(57)【要約】【課題】各脚の展開や折り畳みを簡単に行うことができて、使用時にはフロア板下への潜り込みが防止できるプールフロアを簡単な構成によって提供すること。【解決手段】各脚を、少なくとも脚板２１と引出脚板とにより構成して、展開及び折り畳み自在なものとして構成するとともに、複数の脚の同一平面を形成する各脚板２１外面に、外面及び両端が開口する潜り防止板取付部２５をそれぞれ形成して、これら各潜り防止板取付部２５に向かう脚板２１の部分に、各脚の少なくとも隣接し合うものに渡る長さを有した潜り防止板４０を係止する係止突起２６を形成して、この係止突起２６及び潜り防止板取付部２５を利用して潜り防止板４０を取り付けるようにしたこと。【選択図】図５
2006307555.tif 000002
【特許請求の範囲】
【請求項１】
フロア板と、これを支える複数の脚とからなり、プール内に沈められたとき、このプール内に前記フロア板による水深の浅い部分を形成するためのプールフロアであって、
前記各脚を、少なくとも脚板と引出脚板とにより構成して、展開及び折り畳み自在なものとして構成するとともに、
前記複数の脚の同一平面を形成する各脚板外面に、外面及び両端が開口する潜り防止板取付部をそれぞれ形成して、これら各潜り防止板取付部に向かう前記脚板の部分に、前記各脚の少なくとも隣接し合うものに渡る長さを有した潜り防止板を係止する係止突起を形成して、
この係止突起及び前記潜り防止板取付部を利用して前記潜り防止板を取り付けるようにしたことを特徴とするプールフロア。
【請求項２】
前記各潜り防止板取付部の内部に、前記潜り防止板を支持する支持突起を形成したことを特徴とする請求項１に記載のプールフロア。
【請求項３】
前記フロア板の底面に、前記脚を取り付けかつ収納する脚台を取り付けるとともに、この脚台の、前記脚を折り畳んだときの前記潜り防止板取付部に対向する部分に、潜り防止板逃げ凹所を形成し、この潜り防止板取付部に向けて突出する係合突起を前記脚台形成したことを特徴とする請求項１または請求項２に記載のプールフロア。
【発明の詳細な説明】
【技術分野】
【０００１】
本発明は、フロア板に複数の脚を取付けて潜り防止板が備えられるプールフロアに関し、これをプール内に沈めてフロア板によって水深の浅い部分をプール内に形成するためのプールフロアに関するものである。
【背景技術】
【０００２】
この種のプールフロアについては種々なものが提案されてきており、出願人が既に提案しているプールフロアも、フロア板に複数の脚を取付けたものであり、かつ、各脚に高さ調整を行うための補助脚部を選択的に嵌合自在にして、プールの深さを種々なものにできるという効果を有したものである。
【０００３】
ところが、この種のプールフロアを使用しない場合、これらをどこかに積み上げておくことになると思われるが、各脚が固定的かつ突出したものとなっているためスペースをとるものとなっている。このため、特許文献１あるいは特許文献２で提案されているように、脚そのものを折り畳み自在にすることがなされるようになってきている。
【特許文献１】特開平１１−１０１０１３号公報、要約、段落０００９、図３
【特許文献２】特開２０００−１９９３５３号公報、要約
【発明の開示】
【発明が解決しようとする課題】
【０００４】
特許文献１に記載された発明は、「プールの水深を浅くするためにプールの底に設置するプール用床を不使用時には小さく折り畳む事ができるように構成する」ことを目的としてなされたもので、図１０に示すように、「床板１を支持する脚体４を、複数の脚材７、８を連結材９を介して開閉自在に連結し、一側の脚材７を脚台６に軸止し、脚台６に係合受体１１を取付け、他側の脚材８を該係合受体１１に着脱可能に係止可能とした」ものであり、「脚材７、８をＶ字状折曲し、脚材８を該係合受体１１に係合させば脚体４を組み立てることができる一方、前記係合受体１１との係合を外し、脚材７、８を互いに重なるように折り畳み、脚台６の脚材収納部１４に収納すれば、脚体４を小さく平らに折り畳むことができる」といった効果が得られるものと考えられる。
【０００５】
つまり、この特許文献１の脚体４は、図１０からも理解できるように、「脚材７、８をＶ字状折曲し、脚材８を係合受体１１に係合させれば組み立てることができる」ものであるが、その操作は、一個一個の脚体４について人が両手で行わなければならないと考えられる。そうなると、このプールフロアの各脚体４の組み立て、及び折り畳みについては、相当手間と時間が掛かると考えられる。換言すれば、特許文献１に記載されたプールフロアの各脚体４は、折り畳んで平らにすることができて便利ではあるが、それには相当面倒な作業が伴うものと考えられる。
【０００６】
また、この特許文献１における「脚体４」あるいは「脚」の複数によって大きなフロア板を支える構造としたとき、どうしても各「脚体４」あるいは「脚」の間が開くことになる。この隙間から例えば子供達がフロア板の下側に不用意に入り込んでしまうことが考えられ、あるいはこの隙間から面白半分にフロア板下に潜り込むことも考えられる。そこで、この特許文献１の「プール用床」では、段落０００９に記載されているように、「少なくとも一つの脚材の左右一側に側板支持部を設け、組み立てた脚体の一側に渡って側板を配設するように構成する」といった対策が施されており、これにより、「脚体の一側に側板を渡すことにより、子供等が脚体内に侵入する危険を防ぐことができる」ものとなっている。
【０００７】
この場合、この特許文献１では、図１０に示すように、「脚台収納部の周側壁部に側板支持部（板１３）を収納する凹部１６を設けるようにするのが好ましい」としているものであるが、この「凹部１６」には、「脚体の一側に側板を渡」したまま入れることができないものとなっている。このため、この特許文献１の「プール用床」では、「脚体の一側に側板を渡す」作業や、各脚体を折り畳んで保管する作業がより一層複雑で面倒なものとなっているだけでなく、「脚体の一側に側板を渡」したままの保管ができないものになっていると考えられる。
【０００８】
そこで、特許文献２には、「床板に複数の脚体を取り付けて当該床板を脚体で支持するように形成されたプール用床において、不使用時には潜り込み防止用の板材を付けたまま小さく折り畳め、水平に積み重ねて保管できるようにする」ことを目的として、図１１に示すように、「床板に固定される枠板６と、互いに係合可能に設けられ且つそれぞれ元端部同士が適宜な間隔を開けて枠板に回動自在に取り付けられた一対の脚板７，８とで脚体３を構成し、一対の脚板７，８の少なくとも一方に当該脚板の板厚の範囲内に収まるように設けられた潜り防止板受け部９を形成し、隣り合う脚体３，３の両潜り防止部板受け部９に潜り防止板１０の両端を差し入れて取り付ける」ようにした「プ―ル用床」が提案されている。
【０００９】
この特許文献２の「プール用床」では、「潜り防止板１０が脚板７，８の厚みの範囲内に収まるので、プール用床全体を折り畳んで安定的に積み重ねておくことができる」ものとなっていると考えられるが、「一対の脚板７，８の少なくとも一方に当該脚板の板厚の範囲内に収まるように設けられた潜り防止板受け部９」を形成したのであるから、「隣り合う脚体３，３の両潜り防止部板受け部９に潜り防止板１０の両端を差し入れて取り付ける」という複雑な作業を必要としているものである。
【００１０】
以上のことをまとめてみると、この種のプールフロアについては、
（１）各脚の折り畳みや展開操作はできるだけ簡単に行えるようにして、プール内への設置や不使用時の収納・積み重ねが円滑に行えるようにすること
（２）プール内に沈めて使用中のプールフロアについては、その各脚の間から簡単には潜り込めないようにしておくこと
（３）この（２）達成するものとして長尺な板状の「潜り防止板」を使用する場合には、その取り付けや取り外しが簡単に行えるようにすること
（４）各脚を折り畳んで、保管のために運搬するに当たって、折り畳んだ脚が開かないようにして、脚の構成部材がバタ付かないようにすること
の諸点の改良が望まれているのである。
【００１１】
すなわち、本発明の目的とするところは、各脚の展開や折り畳みを簡単に行うことができて、使用時にはフロア板下への潜り込みが防止できるプールフロアを簡単な構成によって提供することである。
【課題を解決するための手段】
【００１２】
以上の課題を解決するために、まず、請求項１に係る発明の採った手段は、後述する最良の形態の説明中において使用する符号を付して説明すると、
「フロア板１０と、これを支える複数の脚２０とからなり、プール内に沈められたとき、このプール内にフロア板１０による水深の浅い部分を形成するためのプールフロア１００であって、
各脚２０を、少なくとも脚板２１と引出脚板２３とにより構成して、展開及び折り畳み自在なものとして構成するとともに、
複数の脚２０の同一平面を形成する各脚板２１外面に、外面及び両端が開口する潜り防止板取付部２５をそれぞれ形成して、これら各潜り防止板取付部２５に向かう脚板２１の部分に、各脚２０の少なくとも隣接し合うものに渡る長さを有した潜り防止板４０を係止する係止突起２６を形成して、
この係止突起２６及び潜り防止板取付部２５を利用して潜り防止板４０を取り付けるようにしたことを特徴とするプールフロア１００」
である。
【００１３】
すなわち、この請求項１に係るプールフロア１００は、図１〜図４に示すように、フロア板１０と、これを支える複数の脚２０とからなるもので、プール内に沈めた使用時には、図１及び図２の（イ）等に示すように、各脚２０の間に隙間ができるものである。このような隙間は、図中に示す潜り防止板４０によって覆うようになされるのであるが、この潜り防止板４０は、各脚２０に次のような手段によって取り付けられているものである。
【００１４】
後述する最良形態の各脚２０は、フロア板１０裏面に固定される脚台３０に取り付けられることになる図７に示すような脚板２１と、この脚板２１に一端が取り付けられて折り畳まれる図３の（イ）に示すような折り畳み材２２と、この折り畳み材２２の他端に連結されて、脚台３０に取り付けられることになる図８に示すような引出脚板２３とにより構成して、展開したときには、図１〜図３に示すような箱型になるようにしたものである。勿論、これら各脚２０を側板２１と引出脚板２３とによって構成し、図１０に示す従来例のもののように展開できるように実施してもよいものである。
【００１５】
また、このプールフロア１００を構成している各脚２０では、その引出脚板２３に一体的に形成した図３の（イ）に示すようなスライド係合部２４を、脚台３０に形成した図３の（イ）に示すようなスライド溝３１に係合させてあり、図９の（イ）及び（ロ）に示すように、当該引出脚板２３を脚台３０に対してスライドしながら開閉するようにしたものである。
【００１６】
そして、このプールフロア１００においては、図１や図９の（イ）に示すように潜り防止板４０を取り付けるのであるが、この潜り防止板４０は、複数の脚２０の同一平面を形成する各脚板２１外面に着脱自在に取り付けてあるものである。
【００１７】
つまり、各脚板２１外面に、図２の（イ）、図４、あるは図７に示すように、外面及び両端が開口する潜り防止板取付部２５をそれぞれ形成しておいて、これらの潜り防止板取付部２５に、同一平面を形成している各脚２０の少なくとも隣接し合うものに渡る長さを有した潜り防止板４０を、次のようにして取り付けるのである。
【００１８】
各潜り防止板係止部２５は、図４に示すように、これを設けた側板２１の外面側に形成したものであり、例えば図５の（イ）に示すように、その外方側と両端部が開放されたものである。この潜り防止板係止部２５に向けては、側板２１に一体成形した係止突起２６を突出してさせてあり、これらの係止突起２６によって当該潜り防止板係止部２５内に差し込んだあるいは嵌め込んだ潜り防止板４０の保持を行うようにしてある。
【００１９】
以上のようにした潜り防止板係止部２５、及びこれに向けて突出した各係止突起２６は、図４に示した各脚２０を折り畳んだ状態では、横一列に並び、かつ各端部が開放された状態となる。そこで、長尺な潜り防止板４０を、図４の左端または右端に位置している潜り防止板係止部２５の横端部から差し込む（以下長手方向差し込みという）か、各潜り防止板４０を図４に示した位置に配置して、図５の（ロ）中の二点鎖線に示すように、一方の長辺を潜り防止板係止部２５内の一方の係止突起２６に係合させた潜り防止板４０をその幅方向に曲げながら他方の長辺を他方の係止突起２６に係合させ（以下幅方向曲げ込みという）て、その各潜り防止板係止部２５への取り付けを行うのである。
【００２０】
潜り防止板４０の潜り防止板係止部２５内への幅方向曲げ込みを行うにあたっては、この潜り防止板係止部２５に向けて突出している２つの係止突起２６を長短二種類のものとしておくとよい。何故なら、長い方の係止突起２６内に潜り防止板４０の一端を挿入しておいて、潜り防止板４０の他端を短い方の係止突起２６内に差し込むようにすれば、潜り防止板４０の曲げ量を少なくさせることができて、幅方向曲げ込み操作を簡単に行えるようにすることができるからである。
【００２１】
なお、図４に示した潜り防止板４０は、当該プールフロア１００全体の長手方向の長さと略同じ長さを有していて、３個の脚２０全体に渡る一枚のものとなっているが、２個の脚２０に渡るものを２枚使用するように実施してもよい。
【００２２】
以上のように各脚２０が折り畳まれ、これらの脚２０に潜り防止板４０を取り付けたプールフロア１００については、概略図９の（イ）に示すような状態になっている。そこで、当該プールフロア１００を使用すべく各脚２０を図１や図２の（イ）に示すように展開するには、潜り防止板取付部２５に取り付けた潜り防止板４０をそのまま掴んで引き起こせば、折り畳まれていた各脚２０は、概略図９の（ロ）に示すような状態に起立するのである。勿論、図９の（ロ）に示すような起立状態から、図９の（イ）に示すような折り畳み状態にするには、上述とは逆に、潜り防止板４０を押し倒せばよいことは、言うまでもない。
【００２３】
折り畳まれていた各脚２０を、概略図９の（ロ）に示すような状態に起立させた後には、各脚２０についてその要求されている展開方法で展開させれば、各脚２０は、図２及び図３の各（イ）に示すような状態に展開されることになる。勿論、逆の操作を行った場合には、図２及び図３の各（ロ）に示すような状態に折り畳まれることは前述の通りである。
【００２４】
各脚２０が展開されたプールフロア１００では、これらの潜り防止板係止部２５に潜り防止板４０が取り付けてあったから、図１、そして図２及び図３の各（イ）に示すように、各脚２０間の隙間を潜り防止板４０が覆うことになり、プールフロア１００を構成しているフロア板１０下への潜り込みが防止されることになるのである。
【００２５】
従って、この請求項１のプールフロア１００によれば、
（１）各脚２０の折り畳みや展開操作が簡単に行え、当該プールフロア１００のプール内への設置や不使用時の収納・積み重ねが円滑に行える
（２）プール内に沈めて使用中のプールフロア１００については、潜り防止板４０によってその各脚２０の間から簡単には潜り込めない
（３）潜り防止板４０の取り付けや取り外しが各脚２０に設けてある潜り防止板係止部２５及び係止突起２６によって簡単に行える
ものとなっているのである。
【００２６】
さて、上記課題を解決するために、請求項２に係る発明の採った手段は、上記請求項１に記載のプールフロア１００について、
「各潜り防止板取付部２５の内部に、潜り防止板４０を支持する支持突起２７を形成したこと」
である。
【００２７】
すなわち、この請求項２のプールフロア１００は、図６に示すように、各潜り防止板取付部２５の内部に、潜り防止板４０を支持する支持突起２７を形成したものであるが、この支持突起２７は、潜り防止板４０を潜り防止板係止部２５の取り付けたときにその内面（裏面）を受け止めて、潜り防止板４０の支持を確実にするものである。
【００２８】
つまり、潜り防止板４０としては、図５の（ロ）に示すような平板状のものだけでなく、図６の（ロ）に示すような剛性確保突条４２を有したものもある。この剛性確保突条４２は、潜り防止板４０を薄いものとして形成した場合に不足する剛性を確保するものであり、支持突起２７はこの剛性確保突条４２の支持を行えるような形状のものとしてあるのである。勿論、材料や厚さを設計することにより、平板状であっても十分な剛性を有する図５の（ロ）に示す潜り防止板４０であっても、この支持突起２７はその裏面からの支持を行うことは言うまでもない。
【００２９】
従って、この請求項２のプールフロア１００は、前述した請求項１のそれと同様な機能を発揮する他、潜り防止板４０の支持が確実に行えるものとなっているのである。
【００３０】
さらに、上記課題を解決するために、請求項３に係る発明の採った手段は、上記請求項１または請求項２に記載のプールフロア１００について、
「フロア板１０の底面に、脚２０を取り付けかつ収納する脚台３０を取り付けるとともに、この脚台３０の、脚２０を折り畳んだときの潜り防止板取付部２５に対向する部分に、潜り防止板逃げ凹所３２を形成し、この潜り防止板取付部２５に向けて突出する係合突起３２を脚台３０に形成したこと」
である。
【００３１】
つまり、この請求項３のプールフロア１００では、フロア板１０の下面に脚２０を取り付けるにあたって脚台３０を使用するものであるが、この脚台３０を超えて潜り防止板４０が延在すること、及び折り畳まれた脚板２１や引出脚板２３の運搬時のバタツキを考慮したものである。そのために、この請求項３のプールフロア１００では、当該脚台３０の該当部分に、図３の（ロ）に示したような潜り防止板逃げ凹所３２を形成し、この潜り防止板逃げ凹所３２に向けて突出する係合突起３３を設けたものである。
【００３２】
つまり、脚台３０の潜り防止板逃げ凹所３２は、脚２０側の潜り防止板取付部２５に対向して、折り畳まれた脚２０に取り付けた長尺な潜り防止板４０を、曲げたりすることなく収納するものであり、同時に、この潜り防止板逃げ凹所３２に向けて突出形成した係合突起３３によって潜り防止板４０の脚台３０側に対する係合を行うものである。
【００３３】
これらの脚台３０、潜り防止板逃げ凹所３２、及び係合突起３３の各位置は、図６の（ロ）中に（）で囲った符号が示すような位置にするのが好ましい。つまり、脚台３０側の潜り防止板逃げ凹所３２と、脚板２１側の潜り防止板取付部２５とは同一位置であるが、係合突起３３を係止突起２６より短くしておくのである。
【００３４】
何故なら、このプールフロア１００は、潜り防止板４０を取り付けたまま各脚２０を折り畳み、これを立てた状態で運搬することがあるが、その場合に、潜り防止板４０が脚台３０の潜り防止板逃げ凹所３２、及び係合突起３３に係合していると、脚板２１や引出脚板２３のバタツキが防止されるからである。このときには、潜り防止板４０は重力によっていずれかに寄ることになり、そのいずれかの端部は、図６の（ロ）において、脚２０側の潜り防止板取付部２５のいずれか一方の端部内に位置することになって脚台３０側に係合する。
【００３５】
一方、この請求項３のプールフロア１００では、潜り防止板４０を引き起こすことによって各脚２０を展開するものであるから、この際に潜り防止板４０が脚台３０側に係合していると展開できないことになる。そこで、潜り防止板４０を少しずらせて（図６に示した位置にして）の脚台３０側からの係合は外しながら、脚板２１に対する係合は維持しておくのである。
【００３６】
従って、この請求項３のプールフロア１００は、前述した請求項１または請求項２のそれと同様な機能を発揮する他、
（４）各脚２０を折り畳んで、保管のために運搬するに当たって、折り畳んだ脚２０を構成している脚板２１や引出脚板２３のバタツキが防止される
ものとなっているのである。
【発明の効果】
【００３７】
以上、詳述した通り、本発明においては、
「フロア板１０と、これを支える複数の脚２０とからなり、プール内に沈められたとき、このプール内にフロア板１０による水深の浅い部分を形成するためのプールフロア１００であって、
各脚２０を、少なくとも脚板２１と引出脚板２３とにより構成して、展開及び折り畳み自在なものとして構成するとともに、
複数の脚２０の同一平面を形成する各脚板２１外面に、外面及び両端が開口する潜り防止板取付部２５をそれぞれ形成して、これら各潜り防止板取付部２５に向かう脚板２１の部分に、各脚２０の少なくとも隣接し合うものに渡る長さを有した潜り防止板４０を係止する係止突起２６を形成して、
この係止突起２６及び潜り防止板取付部２５を利用して潜り防止板４０を取り付けるようにしたこと」
にその構成上の主たる特徴があり、これにより、各脚２０の展開や折り畳みを簡単に行うことができて、使用時にはフロア板１０下への潜り込みが防止できるプールフロア１００を簡単な構成によって提供することができるのである。
【発明を実施するための最良の形態】
【００３８】
次に、上記のように構成した各発明を、図面に示した最良形態であるプールフロア１００について説明すると、図１には、本発明に係るプールフロア１００の全体斜視図が示してあり、このプールフロア１００は、１枚のフロア板１０を、図２及び図３にも示したように、合計６脚の脚２０によって支持するようにしたものである。これらのフロア板１０及び脚２０は、それぞれプラスチック材料によって成形したものであり、プールフロア１００全体としてプール内に沈めることのできる重量を有したものとなっている。
【００３９】
フロア板１０そのものは、一枚板であってもよいが、本最良形態のものでは複数の合成樹脂製パネルを組み合わせて形成したものであり、その上面にて、当該プールフロア１００を沈めたプール内部分の水深を浅くするものである。
【００４０】
すなわち、本発明に係るプールフロア１００は、図１〜図４に示したように、平らなフロア板１０の下面に合計６脚の脚２０を設けるという基本構成を有したものであり、各脚２０は、フロア板１０裏面またはこれに固定した脚台３０に取り付けられる図７に示したような脚板２１と、この脚板２１に一端が取り付けられて折り畳まれる図３の（イ）に示したような折り畳み材２２と、この折り畳み材２２の他端に連結されて、フロア板１０または脚台３０側に取り付けられることになる図８に示したような引出脚板２３とにより構成したものである。
【００４１】
そして、本発明に係るプールフロア１００を構成する６個の脚２０は、そのフロア板１０裏面またはこれに固定される各脚台３０にそれぞれ取り付けたものであるが、この脚台３０に図３に示したようなスライド溝３１を形成し、このスライド溝３１に係合するスライド係合部２４を、図３の（イ）に示したような引出脚板２３に形成したものであり、これにより、引出脚板２３を、脚台３０、すなわちフロア板１０裏面に対してスライド可能にしたものである。
【００４２】
当該脚２０をフロア板１０の裏面に直接取り付ける場合には、スライド溝３１をフロア板１０の裏面に直接形成するか、フロア板１０の裏面に案内レールを取り付けて、この案内レールによって形成された溝をスライド溝３１とするのである。フロア板１０の裏面に脚台３０を固定して、これに各脚２０の引出脚板２３をスライド可能に連結する場合には、上述したように、この脚台３０にスライド溝３１を形成しておけばよい。
【００４３】
本最良形態の各脚２０は、フロア板１０の裏面に取付けられる脚台３０に組み付けられるものであり、フロア板１０裏面またはこれに固定される脚台３０に取り付けられることになる脚板２１と、この脚板２１に一端が取り付けられて折り畳まれる折り畳み材２２と、この折り畳み材２２の他端に連結されて、フロア板１０裏面またはこれに固定される脚台３０側に取り付けられることになる引出脚板２３とにより構成したものであることは前述した通りである。
【００４４】
そして、これら各脚２０は、図２及び図３の各（イ）に示したように、それぞれが展開されるものであることは勿論、図２及び図３の各（ロ）に示したように、それぞれ折り畳まれて、当該プールフロア１００全体の大きさを縮小できるようにするものである。なお、各脚２０は、フロア板１０の裏面に直接取り付けるようにして、脚台３０を省略するように実施してもよい。
【００４５】
各脚２０を構成するための第１の部材である脚板２１は、図７に示したように、フロア板１０の裏面、またはこれに固定される前述した脚台３０の両軸支台間に回動可能に取付られる基板部と、この基板部と一体に形成されて「箱」の一面となる側板部と、この側板部の図示下端に一体化されて、プールの床面上に当接することになる床当接部とを主として有しているものである。この脚板２１は、例えばその基板部の両端に成形してある連結円突起によって、フロア板１０側または両軸支台の各枢着穴に枢着されるのである。
【００４６】
この脚板２１に対しては、図３の（イ）に示したような折り畳み材２２が取付けられることになるものであるから、その側板部の両側に、この折り畳み材２２のための連結部が形成してある。なお、本最良形態の脚２０は形状維持材を有するものである。
【００４７】
以上のように構成した脚板２１に対しては、図８に示したような引出脚板２３が、折り畳み材２２を介して対向することになるのであるが、この引出脚板２３は、上記の脚板２１と略対称なものとして形成してある。すなわち、この引出脚板２３は、図８に示したように、脚台３０側の両取付台間での取付けがなされる基板部と、この基板部と一体的で「箱」のもう一面を形成することになる側板部と、この側板部の図示下端に一体形成した床当接部とから主として構成したものである。
【００４８】
なお、最良形態の引出脚板２３については、図８に示したように、その基板部の略中央に引き手２３ａが形成してあり、この引き手２３ａに手を掛けて引いたり押したりすることにより、当該引出脚板２３の側板２１に対する拡開あるいは折り畳みが容易に行えるようにしてある。また、この引出脚板２３については、図８に示したように、上記引き手２３ａの下方両側に位置する部分に挿入口２８が形成してあり、この挿入口２８内には、図３の（イ）に示したように、短めの潜り防止板４０の取付が行えるようにしてある。
【００４９】
そして、重要なことは、上述したような各側板２１に、図７に示したような潜り防止板係止部２５が形成してあり、この潜り防止板係止部２５に向けて、側板２１側に一体成形した２つの係止突起２６を対向させた状態で突出させてあることである。これらの潜り防止板係止部２５及び係止突起２６は、図５または図６に示すような形状のものであり、後述する種々な形態の潜り防止板４０を収納することになるものである。なお、互いに対向しながら側板２１から突出する２つの係止突起２６については、長短二種類のものとするとよいことは、前述した通りである。
【００５０】
図５に示した潜り防止板係止部２５及び係止突起２６は、図５の（ロ）に示したような「平板状」の潜り防止板４０を支持するのに適したものであり、潜り防止板係止部２５そのものは狭く形成される。勿論、各係止突起２６は、図７にも示したように、合成樹脂の型成形の都合上から、一つの側板２１に対して片側に複数突出するように形成して実施してもよいが、潜り防止板係止部２５の長さ方向の全体に渡る長さの物として形成して実施してもよい。
【００５１】
以上のようにした潜り防止板係止部２５、及びこれに向けて突出した各係止突起２６は、図４に示した各脚２０を折り畳んだ状態では、横一列に並び、かつ各端部が開放された状態となっている。そこで、長尺な潜り防止板４０を、図４の左端または右端に位置している潜り防止板係止部２５の横端部から差し込む（長手方向差し込み）か、各潜り防止板４０を図４に示した位置に配置して、図５の（ロ）中の二点鎖線に示すように、一方の長辺を潜り防止板係止部２５内の一方の係止突起２６に係合させた潜り防止板４０をその幅方向に曲げながら他方の長辺を他方の係止突起２６に係合させ（幅方向曲げ込み）て、その各潜り防止板係止部２５への取り付けを行うのである。
【００５２】
図６に示した潜り防止板係止部２５内には、この潜り防止板係止部２５の外方に突出あるいは膨出することになる支持突起２７が形成してある。この支持突起２７は、当該潜り防止板係止部２５内に収納された潜り防止板４０の裏面を受承するものであり、潜り防止板４０の取り付けを隙間なくしたり、潜り防止板４０の弾性力に抗してこれを外側に押し曲げることにより潜り防止板４０に弾発力を発せさせたりして、当該潜り防止板４０の潜り防止板係止部２５に対する取付を確実にするものである。
【００５３】
さらに、本最良形態のプールフロア１００を構成している各脚２０では、その展開された側板２１及び引出脚板２３をその展開状態に維持するための固定板２９を設けたものとしてある。この固定板２９は、図３の（イ）に示したように、側板２１または引出脚板２３の図示下端内側に枢軸ピンによって揺動可能に設けたものであり、当該脚２０の折り畳み時には側板２１または引出脚板２３の内側に折り畳まれている。また、この固定板２９の自由端は、引出脚板２３または側板２１側に一体的に形成したロック突起２９ａに係合されるものであり、この最良形態でのロック突起２９ａは、図２及び図３の各（イ）に示したように形成してある。
【００５４】
当該固定板２９は、各脚２０を展開したときに、その自由端を図３の（イ）に示した状態に揺動させてロック突起２９ａに係合させることにより、展開された側板２１及び引出脚板２３をその展開状態に維持して、当該脚２０を完全な箱状のものとするのである。
【００５５】
なお、フロア板１０の下面に側枠１１を形成した場合には、各脚２０を折り畳み、かつその各潜り防止板係止部２５内に潜り防止板４０を取り付けたとき、図２及び図３の各（ロ）に示したように、これらの脚２０や潜り防止板４０は、側枠１１内に完全に収まり、図示下面には突出物がない状態となり、これと同じ状態にした別のプールフロア１００を積み重ねることができる。
【００５６】
また、本最良形態では、潜り防止板４０として、図５の（ロ）に示したような平板状のものを採用しており、脚２０に形成した潜り防止板係止部２５は、この潜り防止板４０の断面形状に応じた形状のものとしてあって、潜り防止板４０を取り付けるには十分なものであるが、潜り防止板４０の幅方向端部に、図５の（ロ）に示したような係合部４１を設けておくとよい。この係合部４１は、潜り防止板係止部２５の空間を埋めるために潜り防止板４０の基部から膨出しているものであり、当該潜り防止板４０を潜り防止板係止部２５内にしっかりと保持させることになるものである。
【００５７】
さて、脚台３０については、フロア板１０の下面に脚２０を取り付けるためのものであることに着目すれば、種々な物が考えられるが、この脚台３０を超えて潜り防止板４０が延在すること、及び持ち運び時の脚板２１や引出脚板２３のバタツキを考慮した場合、当該脚台３０の該当部分に、図３の（ロ）に示したような潜り防止板逃げ凹所３２を形成し、この潜り防止板逃げ凹所３２に向けて突出する係合突起３３を設けておく。
【００５８】
つまり、脚台３０の潜り防止板逃げ凹所３２は、脚２０側の潜り防止板取付部２５に対向して、折り畳まれた脚２０に取り付けた長尺な潜り防止板４０を、曲げたりすることなく収納するものであり、同時に、この潜り防止板逃げ凹所３２に向けて突出形成した係合突起３３によって潜り防止板４０の脚台３０側に対する係合を行うのである。
【００５９】
この場合、脚台３０、潜り防止板逃げ凹所３２、及び係合突起３３の各位置は、図６の（ロ）中に（）で囲った符号が示すような位置にするのがよい。つまり、脚台３０側の潜り防止板逃げ凹所３２と、脚板２１側の潜り防止板取付部２５とは同一位置であるが、係合突起３３を係止突起２６より短くしておくのである。
【００６０】
何故なら、このプールフロア１００は、潜り防止板４０を取り付けたまま各脚２０を折り畳み、これを立てた状態で運搬することがあるが、その場合に、潜り防止板４０が脚台３０の潜り防止板逃げ凹所３２、及び係合突起３３に係合していると、脚板２１や引出脚板２３のバタツキが防止されるからである。このときには、潜り防止板４０は重力によっていずれかに寄ることになり、そのいずれかの端部は、図６の（ロ）において、脚２０側の潜り防止板取付部２５のいずれか一方の端部内に位置することになって脚台３０側に係合する。
【００６１】
一方、このプールフロア１００は、潜り防止板４０を引き起こすことによって各脚２０を展開するものであるから、この際に潜り防止板４０が脚台３０側に係合していると展開できないことになる。そこで、潜り防止板４０を少しずらせて（図６に示した位置にして）の脚台３０側からの係合は外しながら、脚板２１に対する係合は維持しておくのである。
【００６２】
潜り防止板４０は、図５の（ロ）に示したような平板状のものであってもよいが、図６の（ロ）に示したように、中央に外側に向けて突出する支持突起２７を有するものであってもよい。つまり、この潜り防止板４０は、材料自体の厚さや剛性によって必要とされる剛性が確保できるのであれば、図５の（ロ）に示したような平板状のものにすればよく、剛性の少ない合成樹脂のような材料でしかも薄く形成したい場合には、図６の（ロ）に示したような支持突起２７を有するものとすればよいのである。
【００６３】
いずれの場合であっても、図５及び図６の（ロ）に示したように、この潜り防止板４０の幅方向端部に剛性確保突条４２を形成しておき、この剛性確保突条４２によって潜り防止板係止部２５内に収納されたときに隙間がないようにすると、潜り防止板４０の潜り防止板係止部２５に対する取付を確実にすることができる。
【００６４】
また、この潜り防止板４０の長さは、２つの脚２０に渡るものであることが、当該潜り防止板４０を掴んで複数の脚２０の開閉を同時に行う上で必要であるが、場合によっては、フロア板１０の長さと同じ長さの物としておくことも有効である。何故なら、各潜り防止板４０の端部を、図２の（ロ）中に示した二点鎖線、及び図４に示したように、各脚２０を畳み込んだフロア板１０側に固定できるようにし、これによって当該プールフロア１００を運搬するときに、各脚２０が不用意に展開することを防止できるからである。
【００６５】
そのためには、図４等に示したように、フロア板１０の裏面であって各脚２０を囲む部分に側枠１１を固定しておき、この側枠１１に、脚２０側の潜り防止板係止部２５と同様な潜り防止板係止部１２、脚２０側の係止突起２６と同様な係止突起１３、そして脚２０側の支持突起２７と同様な支持突起１４を形成するのである。当然、潜り防止板４０は図４にも示したような直線状のものであるから、これを長手方向について曲げないでその端部の側枠１１側への固定を行うには、これらの潜り防止板係止部１２、係止突起１３、及び支持突起１４は、各脚２０側の、潜り防止板係止部２５、係止突起２６、及び支持突起２７に対向するものである必要がある。
【産業上の利用可能性】
【００６６】
本発明に係るプールフロア１００は、その製造業者の業績を増大させることができることは勿論、当該プールフロア１００を設置する学校やスイミングスクールのような施設において、プール使用の「安全性」や「利便性」をうたうことができて、生徒確保に十分利用することができるものである。
【図面の簡単な説明】
【００６７】
【図１】本発明に係るプールフロアの展開時における斜視図である。
【図２】同プールフロアを長辺側からみた場合を示すもので、（イ）は各脚を展開したときの、（ロ）は各脚を折り畳んだときの側面図である。
【図３】同プールフロアを短辺側からみた場合を示すもので、（イ）は各脚を展開したときの、（ロ）は各脚を折り畳んだときの側面図である。
【図４】同プールフロアの、各脚の折り畳み時における底面図である。
【図５】脚に形成した潜り防止板係止部の拡大側面図であり、（イ）は潜り防止板係止部内に支持突起を有さない例を示し、（ロ）はこの潜り防止板係止部内に潜り防止板４０を収納したときの様子を示すものである。
【図６】脚に形成した潜り防止板係止部の拡大側面図であり、（イ）は潜り防止板係止部内に支持突起を有する例を示し、（ロ）はこの潜り防止板係止部内に潜り防止板４０を収納したときの様子を示すものである。
【図７】同プールフロアを構成している脚の脚板を示す正面図である。
【図８】同プールフロアを構成している脚の引出脚板を示す正面図である。
【図９】本発明のプールフロアにおいて使用している脚の、（イ）折り畳み状態及び（ロ）展開状態を概略的に示す斜視図である。
【図１０】従来の技術を示す脚の斜視図である。
【図１１】従来の他の技術を示す脚の斜視図である。
【符号の説明】
【００６８】
１００      プールフロア
１０        フロア板
１１        側枠
１２        潜り防止板係止部
１３        係止突起
１４        支持突起
２０        脚
２１        側板
２２        折り畳み材
２３        引出脚板
２３ａ      引き手
２４        スライド係合部
２５        潜り防止板係止部
２６        係止突起
２７        支持突起
２８        挿入口
２９        固定板
２９ａ      ロック突起
３０        脚台
３１        スライド溝
３２        潜り防止板逃げ凹所
４０        潜り防止板
４１        係合部
４２        剛性確保突条
【図１】
2006307555.tif 000003
【図２】
2006307555.tif 000004
【図３】
2006307555.tif 000005
【図４】
2006307555.tif 000006
【図５】
2006307555.tif 000007
【図６】
2006307555.tif 000008
【図７】
2006307555.tif 000009
【図８】
2006307555.tif 000010
【図９】
2006307555.tif 000011
【図１０】
2006307555.tif 000012
【図１１】
2006307555.tif 000013